(57)【要約】【課題】シャツの襟がはだけないようにするとともに、胸元のアクセントとなる装身具を提供する。【解決手段】装身具は、ベルト部２、第１磁石３と、第２磁石４とを備えている。ベルト部２は、長方形状に形成されている。第１磁石３は、ベルト部２の一端部７に固定されている。また、第２磁石４は、ベルト部２の他端部８に固定されている。ベルト部２は、一端部７と他端部８との間に位置する中間部９を有し、一端部７の一面７ａが中間部９の一面９ａと対向するように屈曲し、他端部８の一面８ａと反対側の他面８ｂが中間部９の一面９ａと反対側の他面９ｂと対向するように屈曲する。【選択図】図２
0003172201.tif 000002
【実用新案登録請求の範囲】
【請求項１】
長方形状に形成されるベルト部と、
前記ベルト部の長手方向の一端部に設けられた第１磁石と、
前記ベルト部の長手方向の他端部に設けられた第２磁石と、を備え、
前記ベルト部は、
前記一端部と前記他端部との間に位置する中間部を有し、
前記一端部の一面が、前記中間部の一面と対向するように屈曲し、
前記他端部の一面と反対側の他面が、前記中間部の前記一面と反対側の他面と対向するように屈曲する
装身具。
【請求項２】
前記他端部の一面には、装飾材が取り付けられている
請求項１に記載の装身具。
【請求項３】
前記中間部には、第３磁石が固定されている
請求項１又は２に記載の装身具。
【請求項４】
前記ベルト部には、滑り止め部が設けられている
請求項１〜３のいずれかに記載の装身具。
【請求項５】
前記滑り止め部は、前記一端部と中間部が対向する対向面及び、前記他端部と前記中間部が対向する対向面のうち少なくとも一方の対向面に設けたシリコン樹脂からなる突部である
請求項４に記載の装身具。
【請求項６】
前記滑り止め部は、前記第１磁石及び前記第２磁石のうち少なくとも一方に設けられた凹凸である
請求項４に記載の装身具。
【請求項７】
長方形状に形成されるベルト部と、
前記ベルト部の長手方向の一端部に設けられた第１磁石と、
前記ベルト部の長手方向の他端部に設けられた第２磁石と、を備え、
前記一端部と前記他端部の間で、屈曲する
装身具。
【考案の詳細な説明】
【技術分野】
【０００１】
本考案は、磁気引力及び摩擦力を利用して被挟持物を挟持する装身具に関するものである。
【背景技術】
【０００２】
洋装で、例えばシャツを着用する際、首周りの装飾としてネクタイが用いられている。近年、環境対策としてクール・ビズが実施されている。クール・ビズの実施期間では、衣服の軽装化が進み、ネクタイを装着しないケースが増えてきている。
【０００３】
しかしながら、シャツにネクタイを装着しないと、胸元が寂しく写ってしまう。また、シャツの襟を開けると、シャツの襟がはだけてしまい、だらしない格好となってしまう。そのため、ネクタイのように胸元を装飾し、シャツの襟がはだけないようにして身だしなみを整える装身具が必要とされていた。
【０００４】
このような装身具としては、例えば、特許文献１に記載されているものがある。この特許文献１に記載された技術は、２つの磁石で構成され、２つの磁石が被挟持物を介して対向している。２つの磁石は対向しているため、２つの磁石の間には、磁気引力が働く。この磁気引力を利用して、２つの磁石は２つの磁石の間に被挟持物を挟持する。また、２つの磁石の一面には、模様が施されている。
【先行技術文献】
【特許文献】
【０００５】
【特許文献１】実開平６−４１５１７号公報
【考案の概要】
【考案が解決しようとする課題】
【０００６】
しかしながら、特許文献１に記載された技術では、被挟持物の厚みが大きくなると磁石間の距離が大きくなってしまい、磁石の磁気引力により被挟持物を挟持することができなくなっていた。そのため、装身具が被挟持物から容易に外れてしまう。また、この装身具を使用してシャツの襟を留めようとしても、装身具がシャツの襟から容易に外れてしまうため、シャツの襟がはだけてしまうという問題があった。
【０００７】
本考案は、上述した問題点を考慮し、被挟持物を挟持してシャツの襟がはだけないようにするとともに、胸元のアクセントとなる装身具を提供することを目的とする。
【課題を解決するための手段】
【０００８】
上記課題を解決し、本考案の目的を達成するため、本考案の装身具は、ベルト部と、第１磁石と、第２磁石とを備える。ベルト部は、長方形状に形成されている。第１磁石は、ベルト部の一端部に固定されている。また、第２磁石は、ベルト部の他端部に固定されている。
ベルト部は、一端部と他端部との間に位置する中間部を有し、一端部の一面が中間部の一面と対向するように屈曲し、他端部の一面と反対側の他面が中間部の一面と反対側の他面と対向するように屈曲する。
【０００９】
また、本考案の他の装身具は、長方形状に形成されるベルト部と、ベルト部の長手方向の一端部に設けられた第１磁石と、ベルト部の長手方向の他端部に設けられた第２磁石と、を備える。そして、ベルト部は、ベルト部の一端部とベルト部の他端部の間で屈曲する。
【考案の効果】
【００１０】
本考案の装身具によれば、ベルト部が屈曲し、被挟持物を挟持することができる。これにより、磁石の磁気引力だけでなく、ベルト部が被挟持物に接触することで被挟持物に摩擦力が加わり、装身具が被挟持物から外れることを防止することができる。
【図面の簡単な説明】
【００１１】
【図１】本考案の第１の実施の形態例にかかる装身具を他面側から見た斜視図である。
【図２】本考案の第１の実施の形態例にかかる装身具が被挟持物を挟持した状態の要部を示す側面図である。
【図３】本考案の第１の実施の形態例にかかる装身具が被挟持物を挟持した状態を示す概略構成図である。
【図４】本考案の第２の実施の形態例にかかる装身具を示す斜視図である。
【図５】本考案の第３の実施の形態例にかかる装身具を示す斜視図である。
【図６】本考案の第３の実施の形態例にかかる装身具が被挟持物を挟持した状態の要部を示す側面図である。
【図７】本考案の第４の実施の形態例にかかる装身具を他面側から見た斜視図である。
【図８】本考案の第４の実施の形態例にかかる装身具が被挟持物を挟持した状態の要部を示す側面図である。
【図９】本考案の第５の実施の形態例にかかる装身具を示す斜視図である。
【図１０】本考案の第５の実施の形態例にかかる装身具が被挟持物を挟持した状態の要部を示す側面図である。
【図１１】本考案の第６の実施の形態例にかかる装身具を他面側から見た斜視図である。
【考案を実施するための形態】
【００１２】
以下、本考案の装身具の実施の形態例について、図１〜図１１を参照して説明する。なお、各図において共通の部材には、同一の符号を付している。また、本考案は、以下の形態に限定されるものではない。
なお、説明は以下の順序で行う。
１．第１の実施の形態例
１−１．装身具の構成
１−２．装身具の使用方法
２．第２の実施の形態例
３．第３の実施の形態例
４．第４の実施の形態例
５．第５の実施の形態例
６．第６の実施の形態例
【００１３】
＜１．第１の実施の形態例＞
１−１．装身具の構成
まず、本考案の第１の実施の形態例（以下、「本例」という。）にかかる装身具について、図１及び図２を参照して説明する。
図１は本例にかかる装身具を示す斜視図であり、図２は本例にかかる装身具が被挟持物を挟持した状態の要部を示す側面図である。
【００１４】
図１に示すように、本考案の装身具１は、ベルト部２と、第１磁石３と、第２磁石４を備えている。ベルト部２は、略長方形で帯状に形成されている。ベルト部２の材料としては、例えば、皮革、布、和紙等を挙げることができる。
【００１５】
このベルト部２は、一端部７と、他端部８と、中間部９を有している。一端部７は、ベルト部２の長手方向の一端に設けられている。また、他端部８は、一端部７と反対側で、ベルト部２の長手方向の他端に設けられている。そして、中間部９は、一端部７と他端部８の間に設けられている。
【００１６】
ベルト部２の一面２ａの反対側の他面２ｂには、第１切欠き部１０と、第２切欠き部１１が設けられている。第１切欠き部１０は、一端部７と中間部９との間に形成されている。第１切欠き部１０は、一端部７と中間部９との間をベルト部２の短手方向に沿って切り欠いたものである。第１切欠き部１０を一端部７と中間部９の間に形成したことで、ベルト部２を折り曲げる際に第１切欠き部１０が折り目となり、一端部７と中間部９の間で折り曲げやすくすることができる。
【００１７】
また、第２切欠き部１１は、他端部８と中間部９との間に形成されている。第２切欠き部１１は、他端部８と中間部９との間をベルト部２の短手方向に沿って切り欠いたものである。第２切欠き部１１を他端部８と中間部９の間に形成したことで、ベルト部２を折り曲げる際に第２切欠き部１１が折り目となり、他端部８と中間部９の間で折り曲げやすくすることができる。
【００１８】
本例では、第１切欠き部１０及び第２切欠き部１１をベルト部２の他面２ｂに形成しているが、これに限定されない。例えば、ベルト部２の一面２ａに２つの切欠き部を設けたり、ベルト部２の一面２ａと他面２ｂに１つずつ切欠き部を設けてもよい。また、切欠き部を設けなくても本考案の目的は達成できるものである。
【００１９】
図２に示すように、第１切欠き部１０を折り目として、一端部７と中間部９の間を山折りすると、一端部７の一面７ａと中間部９の一面９ａが対向する。同様にして、第２切欠き部１１を折り目として、他端部８と中間部９の間を谷折りすると、他端部８の他面８ｂと中間部９の他面９ｂが対向する。そして、ベルト部２が山折りと谷折りされることで、ベルト部２がＳ字状となる。
【００２０】
第１磁石３は、一端部７の他面７ｂに固定されている。また、第２磁石４は、他端部８の他面８ｂに固定されている。第１磁石３及び第２磁石４の固定方法としては、接着剤による固定方法等を挙げることができる。第１磁石３は、ベルト部２を折り曲げたときに、一端部７、中間部９及び被挟持物２１を介して、第２磁石４と対向する。
【００２１】
本例では、第１磁石３及び第２磁石４がそれぞれ一端部７の他面７ｂ及び他端部８の他面８ｂに固定されているが、これに限定されない。一端部７の一面７ａ及び他面７ｂのうちの一方と、他端部８の他面８ｂ及び一面８ａのうちの一方に１つずつ固定されていればよい。また、一端部７の一面７ａと他面７ｂの間の間隙及び他端部８の一面８ａと他面８ｂの間の間隙を設け、第１磁石３及び第２磁石４がそれぞれの間隙を埋めこまれて固定されていてもよい。さらに、第１磁石３及び第２磁石４がベルト部２に包まれて固定されていてもよい。
【００２２】
１−２．装身具の使用方法
次に、本例にかかる装身具の使用方法について、図２及び図３を参照して説明する。
図３は本例にかかる装身具が被挟持物を挟持した状態を示す概略構成図である。
【００２３】
図３に示すように、Ｙシャツを被挟持物２１の一例として説明する。被挟持物２１の胸部には、装身具１が取り付けられている。本例では、被挟持物２１の胸部に装身具１が取り付けられているが、これに限定されない。この装身具１の取り付ける位置を自由に決めることができ、例えば、装身具１を首元付近に取り付けることもできる。
【００２４】
まず、図２に示すように、ベルト部２の一端部７の一面７ａを被挟持物２１の第１被挟持部２１ａに当接させる。そして、第１切欠き部１０を頂角として一端部７の一面７ａと中間部９の一面９ａが対向するようにベルト部２を折り曲げる。このとき、ベルト部２の中間部９の一面９ａは第１被挟持部２１ａに当接する。
【００２５】
次に、ベルト部２の中間部９の他面９ｂに被挟持物２１の第２被挟持部２１ｂを乗せる。そして、ベルト部２の第２切欠き部１１を頂角として他端部８の他面８ｂと中間部９の他面９ｂが対向するように折り曲げる。このとき、他端部８の他面８ｂに固定された第２磁石４は、第２被挟持部２１ｂに当接し、第１磁石３と対向する。
【００２６】
第１磁石３と第２磁石４が対向することで、第１磁石３と第２磁石４の間に磁気引力が発生する。この磁気引力により、一端部７と他端部８は、中間部９側に引き寄せられる。そのため、一端部７と中間部９は、第１被挟持部２１ａを強力に挟持する。また、他端部８は、第２磁石４を介して中間部９とともに第２被挟持部２１ｂを強力に挟持する。これにより、被挟持物２１への装身具１の装着が完了する。
【００２７】
また、本例の装身具１では、一端部７の一面７ａと中間部９の両面９ａ，９ｂが、被挟持物２１に接触する。その結果、ベルト部２と被挟持物２１との摩擦力が加わり、被挟持物２１を強固に挟持することができ、被挟持物２１から装身具１が外れ落ちることを防止できる。
【００２８】
＜２．第２の実施の形態例＞
次に、図４を参照して本考案の装身具の第２の実施の形態例について説明する。
図４は本考案の第２の実施の形態例にかかる装身具を示す斜視図である。
【００２９】
第２の実施の形態例にかかる装身具３１が第１の実施の形態例にかかる装身具１と異なるところは、ベルト部に装飾材が取り付けられている点である。そのため、ここでは、装飾材に関連する事項について説明し、装身具１と共通する部分は同一の符号を付して重複した説明を省略する。
【００３０】
図４に示すように、本考案の装身具３１は、ベルト部２と、第１磁石３と、第２磁石４と、装飾材３２を備えている。第１磁石３は、ベルト部２の一端部７の他面７ｂに固定されている。また、第２磁石４は、ベルト部２の他端部８の他面８ｂに固定されている。
【００３１】
さらに、装飾材３２は、他端部８の一面８ａに取り付けられている。すなわち、装飾材３２は、他端部８を挟んで第２磁石４の反対側に配置されている。装飾材３２を第２磁石４の反対側に配置することにより、装身具３１を被挟持物２１に取り付けた際に、装飾材３２が被挟持物２１上に現れる。そのため、装身具３１の装飾材３２が、被挟持物２１の胸元のアクセントとなる。
【００３２】
なお、装飾材３２の材料としては、例えば、石、木、動物の骨、動物の角などを挙げることができる。また、メッキ等を施した磁石を他端部８の一面８ａに配置して、第２磁石を兼ねた装飾材とすることもできる。
【００３３】
その他の構成は、上述した第１の実施の形態例にかかる装身具１と同様であるため、それらの説明は省略する。このような構成を有する装身具３１によっても、上述した第１の実施の形態例にかかる装身具１と同様の作用及び効果を得ることができる。
【００３４】
＜３．第３の実施の形態例＞
次に、図５及び図６を参照して本考案の装身具の第３の実施の形態例について説明する。
図５は本考案の第３の実施の形態例にかかる装身具を示す斜視図、図６は本考案の第３の実施の形態例にかかる装身具が被挟持物を挟持した状態の要部を示す側面図である。
【００３５】
第３の実施の形態例にかかる装身具５１が第１の実施の形態例にかかる装身具１と異なるところは、滑り止め部を有している点である。そのため、ここでは、滑り止め部に関連する事項について説明し、装身具１と共通する部分は同一の符号を付して重複した説明を省略する。
【００３６】
図５に示すように、本考案の装身具５１は、ベルト部２と、第１磁石３と、第２磁石４と、３つの滑り止め部５２，５３，５４を備えている。第１磁石３は、ベルト部２の一端部７の他面７ｂに固定されている。また、第２磁石４は、ベルト部２の他端部８の他面８ｂに固定されている。
【００３７】
第１滑り止め部５２は、ベルト部２の一端部７の一面７ａに設けられている。第２滑り止め部５３は、ベルト部２の中間部９の一面９ａに配置されている。また、第３滑り止め部５４は、中間部９の他面９ｂに設けられている。第１滑り止め部５２、第２滑り止め部５３及び第３滑り止め部５４は、それぞれ略円形状の突部からなるシリコン樹脂が４つ固着されることにより構成されている。
【００３８】
図６に示すように、ベルト部２をＳ字状に折り曲げると、一端部７の一面７ａと中間部９の一面９ａが対向し、他端部８の他面８ｂと中間部９の他面９ｂが対向する。第１滑り止め部５２及び第２滑り止め部５３は、一端部７の一面７ａと中間部９の一面９ａの間に配置される。一方、第３滑り止め部５４は、他端部８の他面８ｂと中間部９の他面９ｂの間に配置される。
【００３９】
そして、第１滑り止め部５２と第２滑り止め部５３は、被挟持物２１の第１被挟持部２１ａに当接する。また、第３滑り止め部５４は、第２被挟持部２１ｂに当接する。そのため、第１被挟持部２１ａには，第１滑り止め部５２及び第２滑り止め部５３の摩擦力が働く。また、第２被挟持部２１ｂには、第３滑り止め部５４の摩擦力が働く。これにより、被挟持物２１を挟持した状態のまま、装身具５１が被挟持物２１から外れることを防止することができる。
【００４０】
第３の実施の形態例の装身具５１では、滑り止め部を３つ設けた構成としたが、これに限定されない。ベルト部２をＳ字状にした場合、一端部７の一面７ａと中間部９の９ａが対向する対向面及び、他端部８の他面８ｂと中間部９の他面９ｂが対向する対向面のうち少なくとも一方の対向面に滑り止め部を設けていればよい。
【００４１】
第１滑り止め部５２、第２滑り止め部５３及び第３滑り止め部５４は、それぞれベルト部２に４つのシリコン樹脂が固着されて構成されているが、シリコン樹脂の数を３つ以下、あるいは５つ以上としてもよい。また、シリコン樹脂の形状は、略円形状の突部に限定されず、例えば、略長方形状の突条としてもよい。
【００４２】
また、第１滑り止め部５２、第２滑り止め部５３及び第３滑り止め部５４をシリコン樹脂により構成される例を示したが、これに限定されない。第１被挟持部２１ａ及び第２被挟持部２１ｂに摩擦力が働くようにすればよく、例えば、ゴムなどを挙げることができる。
【００４３】
なお、第２磁石４にシリコン樹脂を固着することにより、滑り止め部を形成することもできる。
【００４４】
その他の構成は、上述した第１の実施の形態例にかかる装身具１と同様であるため、それらの説明は省略する。このような構成を有する装身具５１によっても、上述した第１の実施の形態例にかかる装身具１と同様の作用及び効果を得ることができる。
【００４５】
＜４．第４の実施の形態例＞
次に、図７及び図８を参照して本考案の装身具の第４の実施の形態例について説明する。
図７は本考案の第４の実施の形態例にかかる装身具を示す斜視図である。図８は本考案の第４の実施の形態例にかかる装身具が被挟持物を挟持した状態の要部を示す側面図である。
【００４６】
第４の実施の形態例にかかる装身具７１が第１の実施の形態例にかかる装身具１と異なるところは、滑り止め部を有している点である。そのため、ここでは、滑り止め部に関連する事項について説明し、装身具１と共通する部分は同一の符号を付して重複した説明を省略する。
【００４７】
図７に示すように、本考案の装身具７１は、ベルト部２と、第１磁石７３と、第２磁石７５を備えている。第１磁石７３は、ベルト部２の一端部７の一面７ａに固定されている。また、第２磁石７５は、ベルト部２の他端部８の他面８ｂに固定されている。これにより、ベルト部２を折り曲げた際に、第１磁石７３は、中間部９を挟んだ状態で第２磁石７５と対向する（図８参照）。
【００４８】
第１磁石７３及び第２磁石７５は、それぞれベルト部２に固定されている面と反対側の面に滑り止め部７４，７６を有している。この滑り止め部７４，７６は、第１磁石７３及び第２磁石７５に略鋸状の凹凸が形成されることにより構成されている。
【００４９】
図８に示すように、ベルト部２をＳ字状に折り曲げて被挟持物２１を挟持すると、滑り止め部７４は第１被挟持部２１ａに当接し、滑り止め部７６は第２被挟持部２１ｂに当接する。このとき、滑り止め部７４の摩擦力が第１被挟持部２１ａに働き、滑り止め部７６の摩擦力が第２被挟持部２１ｂに働く。第１被挟持部２１ａ及び第２被挟持部２１ｂに摩擦力が働くことで、装身具７１が被挟持物２１から外れることを防止することができる。
【００５０】
その他の構成は、上述した第１の実施の形態例にかかる装身具１と同様であるため、それらの説明は省略する。このような構成を有する装身具７１によっても、上述した第１の実施の形態例にかかる装身具１と同様の作用及び効果を得ることができる。
【００５１】
＜５．第５の実施の形態例＞
次に、図９及び図１０を参照して本考案の装身具の第５の実施の形態例について説明する。
図９は本考案の第５の実施の形態例にかかる装身具を示す斜視図である。図１０は本考案の第５の実施の形態例にかかる装身具が被挟持物を挟持した状態の要部を示す側面図である。
【００５２】
第５の実施の形態例にかかる装身具９１が第１の実施の形態例にかかる装身具１と異なるところは、ベルト部の中間部に磁石を有する点である。そのため、ここでは、中間部に備えられた磁石に関連する事項について説明し、装身具１と共通する部分は同一の符号を付して重複した説明を省略する。
【００５３】
図９に示すように、本考案の装身具９１は、ベルト部２と、第１磁石３と、第２磁石４と、第３磁石９５を備えている。第１磁石３は、ベルト部２の一端部７の他面７ｂに固定されている。また、第２磁石４は、ベルト部２の他端部８の他面８ｂに固定されている。さらに、第３磁石９５は、ベルト部２の中間部９の一面９ａに固定されている。
【００５４】
図１０に示すように、ベルト部２をＳ字状に折り曲げて被挟持物２１を挟持すると、第３磁石９５は、第１被挟持部２１ａと一端部７を挟んで第１磁石３と対向する。また、第３磁石９５は、中間部９と第２被挟持部２１ｂを挟んで第２磁石４と対向する。第１磁石３と第２磁石４の間に第３磁石９５を設けたことにより、磁石同士の距離が短くなる。そのため、第１磁石３と第３磁石９５の間、及び第２磁石４と第３磁石９５の間の磁気引力が強くなる。これにより、装身具９１は、装身具１よりも強い挟持力で被挟持物２１を挟持することができる。
【００５５】
その他の構成は、上述した第１の実施の形態例にかかる装身具１と同様であるため、それらの説明は省略する。このような構成を有する装身具９１によっても、上述した第１の実施の形態例にかかる装身具１と同様の作用及び効果を得ることができる。
【００５６】
＜６．第６の実施の形態例＞
次に、図１１を参照して本考案の装身具の第６の実施の形態例について説明する。
図１１は本考案の第６の実施の形態例にかかる装身具を他面側から見た斜視図である。
【００５７】
第６の実施の形態例にかかる装身具１０１が第１の実施の形態例にかかる装身具１と異なるところは、ベルト部の中間部が設けられていない点である。ここでは、装身具１と共通する部分は同一の符号を付して重複した説明を省略する。
【００５８】
図１１に示すように、本考案の装身具１０１は、ベルト部１０２と、第１磁石３と、第２磁石４と、を備えている。第１磁石３は、ベルト部１０２の一端部１０７の他面１０７ｂに固定されている。また、第２磁石４は、ベルト部１０２の他端部１０８の他面１０８ｂに固定されている。
【００５９】
切欠き部１１０は、一端部１０７と他端部１０８との間に形成されている。切欠き部１１０は、一端部１０７と他端部１０８との間をベルト部１０２２の短手方向に沿って切り欠いたものである。
【００６０】
ベルト部１０２の切欠き部１１０を折り目として、折り曲げて被挟持物を挟持すると、一端部１０７の他面１０７ｂは、被挟持物、第１磁石３及び第２磁石４を挟んで他端部１０８の他面１０８ｂと対向する。ベルト部に中間部が設けられていないため、磁石同士の距離が短くなる。そのため、第１磁石３と第２磁石４の間の磁気引力が強くなる。これにより、装身具１０１は、装身具１よりも強い挟持力で被挟持物を挟持することができる。
【００６１】
その他の構成は、上述した第１の実施の形態例にかかる装身具１と同様であるため、それらの説明は省略する。このような構成を有する装身具１０１によっても、上述した第１の実施の形態例にかかる装身具１と同様の作用及び効果を得ることができる。
【００６２】
なお、本考案は上述しかつ図面に示した実施の形態に限定されるものではなく、実用新案登録請求の範囲に記載した考案の要旨を逸脱しない範囲内で種々の変形実施が可能である。
【符号の説明】
【００６３】
１，３１，５１，７１，９１，１０１・・・装身具、２，１０２・・・ベルト部、３，７３・・・第１磁石、４，７５・・・第２磁石、７，１０７・・・一端部、８，１０８・・・他端部、９・・・中間部、１０・・・第１切欠き部、１１・・・第２切欠き部、２１・・・被挟持物、２１ａ・・・第１被挟持部、２１ｂ・・・第２被挟持部、３２・・・装飾材、５２，５３，５４，７４，７６・・・滑り止め部、９５・・・第３磁石、１１０・・・切欠き部
【図１】
0003172201.tif 000003
【図２】
0003172201.tif 000004
【図３】
0003172201.tif 000005
【図４】
0003172201.tif 000006
【図５】
0003172201.tif 000007
【図６】
0003172201.tif 000008
【図７】
0003172201.tif 000009
【図８】
0003172201.tif 000010
【図９】
0003172201.tif 000011
【図１０】
0003172201.tif 000012
【図１１】
0003172201.tif 000013